(57)【要約】  【課題】  本発明は，純粋な生薬を含む生薬抽出液を得ることができ，生薬を抽出している間，生薬の香りをかぎ続けることによるリラックス効果を与えることができる生薬抽出器を提供することを目的とする。  【解決手段】  上記課題は，内部に薬剤（１）を収容する薬剤収容器（２）と；前記薬剤収容器部（２）の上方に搭載することができ，底面（３）に前記薬剤収容器部（２）で生じた蒸気を内部に通すための通気部（４）を有するとともに側面又は天井に設けられた通気部（１３）を有し，前記薬剤収容器（２）で生じた蒸気を液化することにより生薬が含まれる液を得るための液化容器（５）と；前記液化容器（５）に収容することができ，前記生薬が含まれる液（６）を収容するための生薬収容器（７）を具備する；生薬抽出器（８）などにより解決される。  【選択図】図１
2007276809.tif 000002
【特許請求の範囲】
【請求項１】
内部に薬剤（１）を収容する薬剤収容器（２）と；
前記薬剤収容器部（２）の上方に搭載することができ，底面（３）に前記薬剤収容器部（２）で生じた蒸気を内部に通すための通気部（４）を有し，前記薬剤収容器（２）で生じた蒸気を液化することにより生薬が含まれる液を得るための液化容器（５）と；
前記液化容器（５）に収容することができ，前記生薬が含まれる液（６）を収容するための生薬収容器（７）を具備する；
生薬抽出器（８）。
【請求項２】
前記液化容器（５）は，取り外しできるふた部（９）を有し，前記ふた部（９）は，中心に向かって下方に傾斜する傾斜壁（１０）を有する請求項１に記載の生薬抽出器（８）。
【請求項３】
前記液化容器（５）が取り外しできるふた部（９）を有し，前記ふた部（９）は，内部に冷却水を収容できる冷却水収容器である請求項１に記載の生薬抽出器（８）。  
【請求項４】
前記液化容器（５）の側面（１１）には，１又は複数の通気部（１３）が設けられる請求項１に記載の生薬抽出器（８）
【請求項５】
前記薬剤収容器（２）を搭載できるオイル収容器（２１）を具備する請求項１に記載の生薬抽出器（８）。
【請求項６】
前記薬剤収容器（２）は，取り外しできるふた部（９）として機能する冷却水収容器を具備し，
前記薬剤収容器（２），前記液化容器（５），及び前記生薬収容器（７）は分離しうるセットものとして構成される請求項１に記載の生薬抽出器。
【請求項７】
内部に薬剤（１）を収容する薬剤収容器（２）と；前記薬剤収容器部（２）の上方に搭載することができ，底面（３）に前記薬剤収容器部（２）で生じた蒸気を内部に通すための通気部（４）を有し，側面（１１）には，前記薬剤収容器部（２）で発生した蒸気の一部を外部に放出するための１又は複数の通気部（１３）とを具備する，前記薬剤収容器（２）で生じた蒸気を液化することにより生薬が含まれる液を得るための液化容器（５）と；前記液化容器（５）に搭載することができ，中心に向かって下方に傾斜する傾斜壁（１０）を有し，内部に冷却水を収容でき，これにより前記傾斜壁（１０）に接する蒸気を効果的に液化することができ，取り外しできるふた部（９）と；前記液化容器（５）に収容することができ，前記生薬が含まれる液（６）を収容するための生薬収容器（７）と；を具備する生薬抽出器（８）を用い；
前記薬剤（１）に含まれる生薬をはじめとする天然素材から，生薬成分を蒸発させ，液化させることで，前記生薬抽出器（７）に生薬抽出液として効果的に回収するとともに，薬剤収容器（２）においては薬剤から生薬成分を抽出し，その回収及び抽出の際に，前記生薬成分を含む蒸気による薬効や香りを与えるために，前記液化容器（５）の側面（１１）に設けられた１又は複数の通気部（１３）から，前記生薬成分を含む蒸気を外部へ放出することを特徴とする，生薬の抽出方法。
【請求項８】
内部に茶葉（３１）を収容する茶葉収容器（３２）と；
前記茶葉収容器部（３２）の上方に搭載することができ，底面（３３）に前記茶葉収容器部（３２）で生じた蒸気を内部に通すための通気部（３４）を有し，前記茶葉収容器（３２）で生じた蒸気を液化することにより茶成分が含まれる液を得るための液化容器（３５）と；
前記液化容器（３５）に収容することができ，前記茶成分が含まれる液（３６）を収容するための茶収容器（３７）を具備する；
茶成分抽出セット（３８）。
【発明の詳細な説明】
【技術分野】
【０００１】
本発明は，生薬抽出器などに関する。より詳しく説明すると，本発明は，特に低温にて蒸留することにより生薬成分を効果的に抽出するほか，抽出する際に生薬の蒸気を効果的に放出することで，生薬の香りによるリラックス効果や薬効を与えることができる生薬抽出器や，そのような生薬抽出器を用いた生薬抽出方法などに関する。また，本発明は，生薬抽出器を用い，様々な用途を有する茶成分抽出セットに関する。
【背景技術】
【０００２】
近年，健康に対する関心が高まってきている。そのため，「生薬」とよばれる薬類を愛用する人が増えてきている。生薬は，通常，乾燥した葉などの薬剤を水又は湯に入れて，加熱することにより抽出される。そして，生薬を入浴剤として用いるほか，直接経口にて摂取することにより，所定の薬効を得る。
【０００３】
生薬を抽出する装置として，特開平６−２８５１３０号公報（特許文献１）には，「水と薬浴用生薬混合物を入れるタンク，水を沸騰に至るまで加熱する熱源，水を生薬混合物からの抽出に適した状態に加熱制御する温度調節部，及びタンクを他の機器に接続するための送返湯管から構成した生薬
混合物の熱水抽出装置」が開示されている（同公報の請求項１を参照）。しかしながら，同公報に記載される抽出装置は，主に薬浴療法に用いられるものであり，抽出された生薬を飲用することは考えられていない。
【０００４】
また，特開平９−９８８９０号公報（特許文献２）には，「底面または側面に発熱体を，内部に生薬を支持する保持体を有するガラスあるいは陶磁器の容器と，発熱体の通電をオンオフするスイッチと，容器中の水の温度を測定する温度検知手段と，生薬の抽出温度を指定する温度指示部と，温度検知手段と温度指示部の情報を受けて発熱体への通電量を調節する温度制御装置と，容器に接続した水タンクとを備え，前記水タンクは浄水フィルタを介して容器内に水を供給する生薬抽出装置」が開示されている。
【０００５】
しかしながら，特開平９−９８８９０号公報に記載される生薬抽出装置は，薬剤を水中で抽出するものであり，その蒸気を回収するものではないので，薬剤に不純物などが付着していた場合には，その不純物も水に溶解する。このため，特開平９−９８８９０号公報に記載される生薬抽出装置では，生薬にそのような不純物が混入するので，誤ってそのような不純物を摂取するおそれがある。さらには，抽出時間が短いので，生薬の香りを楽しむことができない。さらには，高温で短時間に生薬を抽出するので，生薬成分以外の成分も溶解して，そのような溶液を飲用するとかえって健康を害する場合がある。
【０００６】
一方，中国茶，緑茶，紅茶などをいれる際に，様々な茶器が用いられている。これらは茶を効果的に抽出することを目的とするため，基本的には，他の用途に用いることができない。さらには，できる限り，効果的に抽出するために，蒸気などを逃さないように工夫がされており，一般的に，注ぎ口や，小さな空気の逃がし孔を有するにとどまる。
【特許文献１】特開平６−２８５１３０公報
【特許文献２】特開平９−９８８９０号公報
【発明の開示】
【発明が解決しようとする課題】
【０００７】
本発明は，薬剤に不純物が付着した場合であっても，純粋な生薬を含む生薬抽出液を得ることができる生薬抽出器を提供することを目的とする。本発明は，純度の高い生薬抽出液を得ることができる生薬抽出器を提供することを目的とする。
【０００８】
本発明は，生薬を抽出している間，生薬が含まれる蒸気を放出し，生薬を摂取することによる薬効のみならず，生薬の香りをかぎ続けることによるリラックス効果を与えることができる生薬抽出器や，そのような生薬抽出器を用いた生薬抽出方法を提供することを目的とする。
【０００９】
本発明は，たとえば，生薬抽出液を大量に得ようとするものではなく，生薬などの天然素材を含む薬剤から，個人的・家庭的に用いられる程度の量の生薬抽出液を得るほか，その抽出工程を通して，様々な形で生薬成分を活用し，利用することができる，生薬抽出器や，そのような生薬抽出器を用いた生薬抽出方法を提供することを目的とする。
【００１０】
本発明は，長期間加熱しても，安全性に優れ，しかも適切な温度で継続して薬剤を加熱できる生薬抽出器を提供することを目的とする。
【００１１】
本発明は，茶をいったん気化させて，気化した茶を液化することにより，茶成分抽出液を得ることができる茶成分抽出セットを提供することを，上記とは別の目的とする。
【課題を解決するための手段】
【００１２】
本発明は，上記課題のうちいずれかひとつ以上を解決するためになされたものである。
【００１３】
本発明の第１の側面に係る生薬抽出器は，内部に薬剤（１）を収容する薬剤収容器（２）と；前記薬剤収容器部（２）の上方に搭載することができ，底面（３）に前記薬剤収容器部（２）で生じた蒸気を内部に通すための通気部（４）を有し，前記薬剤収容器（２）で生じた蒸気を液化することにより生薬が含まれる液を得るための液化容器（５）と；前記液化容器（５）に収容することができ，前記生薬が含まれる液（６）を収容するための生薬収容器（７）を具備する；生薬抽出器（８）である。
【００１４】
このように，本発明の第１の側面に係る生薬抽出器は，蒸発した生薬を回収するので，薬剤に不純物が付着した場合であっても，純粋な生薬を含む生薬抽出液を得ることができる。また，長時間抽出できるので，所定の生薬成分のみを気化させ，他の成分が少ない生薬を得ることができる。また，本発明の生薬抽出器によれば，薬剤収容器に収容される薬剤を水などの溶媒とともに長時間にわたり，好ましくは低温にて加熱することで，溶媒中に生薬成分が適切に溶解することとなる。
【００１５】
本発明の第１の側面に係る生薬抽出器の好ましい態様は，前記液化容器（５）は，取り外しできるふた部（９）を有し，前記ふた部（９）は，中心に向かって下方に傾斜する傾斜壁（１０）を有する上記に記載の生薬抽出器（８）である。中心に向かって下方に傾斜する傾斜壁（１０）を有するので，生薬が含まれる液を効果的に生薬収容器に導くことができる。
【００１６】
本発明の第１の側面に係る生薬抽出器の好ましい態様は，前記液化容器（５）が取り外しできるふた部（９）を有し，前記ふた部（９）は，内部に冷却水を収容できる冷却水収容器である上記いずれかに記載の生薬抽出器（８）である。液化容器（５）のふた部（９）として，内部に冷却水を収容できる冷却水収容器（９ａ）を用いたので，効果的に蒸気を液化できることとなる。なお，冷却水収容器（９ａ）として，その底部に中心に向かって下方に傾斜する傾斜底（１０）を有するものが好ましい。理由は上記したとおりである。
【００１７】
本発明の第１の側面に係る生薬抽出器の好ましい態様は，前記液化容器（５）の側面（１１）又は天井（１２）には，１又は複数の通気部（１３）が設けられる上記いずれかに記載の生薬抽出器（８）である。液化容器（５）の側面（１１）には，１又は複数の通気部（１３）が設けられるので，生薬を抽出している間，生薬が含まれる蒸気が通気部（１３）から効果的にもれることとなる。生薬を愛用している者にとって，生薬の香りをかぐだけで，リラックスする効果がある。したがって，通気部（１３）から，積極的に生薬を含む蒸気を逃すことで，リラックス効果をもたらすことができることとなる。また，本発明の生薬抽出器では，長時間にわたって生薬を抽出することが意図されているので，リラックス効果をもたらす香りを長時間かぐことができることなる。さらには，通気部（１３）から放出される蒸気には，生薬が含まれるので，生薬を経口摂取しなくても，無意識のうちに所定の薬効を得ることができることとなる。
【００１８】
本発明の第１の側面に係る生薬抽出器の好ましい態様は，前記薬剤収容器（２）を搭載できるオイル収容器（２１）を具備する上記いずれかに記載の生薬抽出器（８）である。オイル収容器（２１）を具備するので，この態様に係る生薬抽出器は，安全性に優れ，適切な温度で継続して薬剤を加熱できることとなる。特に，このオイル収容器に用いられるオイルの種類を適宜調整することで，たとえば，薬剤にふさわしい穏やかな温度で長時間加熱し続けることができ，その結果，薬剤収容器（２）においては，特定の生薬成分が純度高く効果的に抽出されることとなる。また，蒸気中にも特定の生薬成分が多く含まれることとなり，生薬収容器（７）に回収される生薬抽出液として，特定の生薬成分を含む純粋な抽出液を効果的に得ることができることとなる。さらに，容器外部に対して，長時間にわたり特定の生薬成分を含む蒸気が放出されることとなるので，蒸気による薬効とマイルドな香りによるリラックス効果を効果的にもたらすことができることとなる。
【００１９】
本発明の第２の側面に係る生薬抽出方法は，内部に薬剤（１）を収容する薬剤収容器（２）と；前記薬剤収容器部（２）の上方に搭載することができ，底面（３）に前記薬剤収容器部（２）で生じた蒸気を内部に通すための通気部（４）を有し，側面（１１）には，前記薬剤収容器部（２）で発生した蒸気の一部を外部に放出するための１又は複数の通気部（１３）とを具備する，前記薬剤収容器（２）で生じた蒸気を液化することにより生薬が含まれる液を得るための液化容器（５）と；前記液化容器（５）に搭載することができ，中心に向かって下方に傾斜する傾斜壁（１０）を有し，内部に冷却水を収容でき，これにより前記傾斜壁（１０）に接する蒸気を効果的に液化することができ，取り外しできるふた部（９）と；前記液化容器（５）に収容することができ，前記生薬が含まれる液（６）を収容するための生薬収容器（７）と；を具備する生薬抽出器（８）を用い；前記薬剤（１）に含まれる生薬をはじめとする天然素材から，生薬成分を蒸発させ，液化させることで，前記生薬抽出器（７）に生薬抽出液として効果的に回収するとともに，薬剤収容器（２）においては薬剤から生薬成分を抽出し，その回収及び抽出の際に，前記生薬成分を含む蒸気による薬効や香りを与えるために，前記液化容器（５）の側面（１１）に設けられた１又は複数の通気部（１３）から，前記生薬成分を含む蒸気を外部へ放出することを特徴とする，生薬の抽出方法に関する。生薬を愛用している者にとって，生薬の香りをかぐだけで，リラックスする効果がある。したがって，通気部（１３）から，積極的に生薬を含む蒸気を逃すことで，リラックス効果をもたらすことができることとなる。また，本発明の生薬抽出器では，長時間にわたって生薬を抽出することが意図されているので，リラックス効果をもたらす香りを長時間かぐことができることなる。さらには，通気部（１３）から放出される蒸気には，生薬が含まれるので，生薬を経口摂取しなくても，無意識のうちに所定の薬効を得ることができることとなる。
【００２０】
本発明の第３の側面に係る茶成分抽出セットは，内部に茶葉（３１）を収容する茶葉収容器（３２）と；前記茶葉収容器部（３２）の上方に搭載することができ，底面（３３）に前記茶葉収容器部（３２）で生じた蒸気を内部に通すための通気部（３４）を有し，前記茶葉収容器（３２）で生じた蒸気を液化することにより茶成分が含まれる液を得るための液化容器（３５）と；前記液化容器（３５）に収容することができ，前記茶成分が含まれる液（３６）を収容するための茶収容器（３７）を具備する；茶成分抽出セット（３８）に関する。この茶成分抽出セットは，上記した生薬抽出器と同様の構成を有しており，茶を抽出するとともに，茶の香りを長時間にわたり楽しむことができるほか，様々な利用方法を有する。
【発明の効果】
【００２１】
本発明の第１の側面に係る生薬抽出器は，蒸発した生薬を回収するので，薬剤に不純物が付着した場合であっても，純粋な生薬を含む生薬抽出液を得ることができる。また，長時間抽出できるので，所定の生薬成分のみを気化させ，他の成分が少ない生薬を得ることができる。また，本発明の生薬抽出器によれば，薬剤収容器に収容される薬剤を水などの溶媒とともに長時間にわたり，好ましくは低温にて加熱することで，高温にて短時間で強制的に生薬成分を抽出する場合に比べて，薬剤が劣化する事態や薬剤が変質する事態を効果的に防止でき，溶媒中に生薬成分が適切に溶解することとなる他，純度が高く品質に優れた生薬抽出液を効果的に回収できることとなる。
【００２２】
本発明の第１の側面に係る生薬抽出器の好ましい態様は，前記液化容器（５）の側面（１１）又は天井（１２）には，１又は複数の通気部（１３）が設けられる上記いずれかに記載の生薬抽出器（８）である。液化容器（５）の側面（１１）には，１又は複数の通気部（１３）が設けられるので，生薬を抽出している間，生薬が含まれる蒸気が通気部（１３）から効果的にもれることとなる。生薬を愛用している者にとって，生薬の香りをかぐだけで，リラックスする効果がある。したがって，通気部（１３）から，積極的に生薬を含む蒸気を逃すことで，リラックス効果をもたらすことができることとなる。また，本発明の生薬抽出器（８）では，長時間にわたって生薬を抽出することが意図されているので，リラックス効果をもたらす香りを長時間かぐことができることなる。さらには，通気部（１３）から放出される蒸気には，生薬が含まれるので，生薬を経口摂取しなくても，無意識のうちに所定の薬効を得ることができることとなる。上記したとおり，生薬の抽出工程において，生薬収容器（７）に，純度が高く，品質に優れた生薬抽出液が収容させることとなる。さらに，薬剤収容器（２）には，たとえば，薬剤を薬剤にふさわしい温度で抽出した抽出液そのものが残ることとなる。そこで，薬剤収容器（２）において，得られるエキスを回収し，経口摂取するほか，浴剤や，芳香剤などとして活用できることとなる。すなわち，本発明によれば，生薬などの天然素材を含む薬剤から，個人的・家庭的に用いられる程度の量の生薬抽出液を得るほか，その抽出工程を通して，様々な形で生薬成分を活用し，利用することができる，生薬抽出器や，そのような生薬抽出器を用いた生薬抽出方法を提供することができる。
【００２３】
本発明の第１の側面に係る生薬抽出器の好ましい態様は，前記薬剤収容器（２）を搭載できるオイル収容器（２１）を具備する上記いずれかに記載の生薬抽出器（８）である。オイル収容器（２１）を具備するので，加熱に用いられるオイルを適宜調整することで，この態様に係る生薬抽出器は，安全性に優れ，適切な温度で継続して薬剤を加熱できることとなる。また，ヒータなど所定の温度条件を維持できる加熱器を用いることで，生薬成分を優しく抽出し，純度の高く品質の優れた生薬抽出液を得ることができることとなる。
【００２４】
本発明の第３の側面に係る茶成分抽出セットは，上記した生薬抽出器と同様の構成を有しており，茶をいったん気化させて，気化した茶を液化することにより，茶成分抽出液を得ることができる。さらは，あえて液化容器（３５）の側面に通気部を設けることにより，茶を抽出するとともに，茶の香りを長時間にわたり楽しむことができるほか，様々な利用方法を有する茶成分抽出セットを提供できる。
【発明を実施するための最良の形態】
【００２５】
以下，図面に従って，本発明の生薬抽出器について説明する。図１は，本発明の生薬抽出器の概略図である。図１に示されるように，本発明の第１の側面に係る生薬抽出器は，内部に薬剤（１）を収容する薬剤収容器（２）と；前記薬剤収容器部（２）の上方に搭載することができ，底面（３）に前記薬剤収容器部（２）で生じた蒸気を内部に通すための通気部（４）を有し，前記薬剤収容器（２）で生じた蒸気を液化することにより生薬が含まれる液を得るための液化容器（５）と；前記液化容器（５）に収容することができ，前記生薬が含まれる液（６）を収容するための生薬収容器（７）を具備する；生薬抽出器（８）である。
【００２６】
このように，本発明の第１の側面に係る生薬抽出器は，蒸発した生薬を回収するので，薬剤に不純物が付着した場合であっても，純粋な生薬を含む生薬抽出液を得ることができる。また，長時間抽出できるので，所定の生薬成分のみを気化させ，他の成分が少ない生薬を得ることができる。また，本発明の生薬抽出器によれば，薬剤収容器に収容される薬剤を水などの溶媒とともに長時間にわたり，好ましくは低温にて加熱することで，溶媒中に生薬成分が適切に溶解することとなる。
【００２７】
「生薬抽出器」とは，生薬の原料となる薬剤（１）から，所定の生薬成分を抽出するための装置を意味する。
【００２８】
「生薬」として，天然素材など公知の生薬を適宜用いることができる。生薬及びその薬効として以下のものがあげられる。アカメガシワ（赤目柏）:胃酸過多，胃潰瘍;アガリクス:悪性腫瘍，高血圧，糖尿病;アケビの蔓性茎（木通）:利尿作用，消炎作用;アケビの実（木通子）:淋病，膀胱炎;アマチャ（甘茶）:清涼作用;イカリ草:強壮作用，インポテンツ;イズイ:強壮作用，強精作用;イチヂクの実:痔，緩下作用，消化不良;イチヂク葉:神経痛，痔;イチョウ:しもやけ（外用として用いる）;ウコン（宇金）:健胃作用，利尿作用;ウゾッコツ（烏賊骨）:止血作用，収斂作用，制酸作用;ウワウルシ:利尿作用，収斂作用;エゾウコギ:強壮作用，利水作用，鎮痛作用;エンメイソウ（延命草）:健胃作用;オウセイ（黄精）:強壮作用，インポテンツ，糖尿病，滋養強壮;オウバク（黄柏）:止瀉作用，健胃作用;オウレン（黄連）:止瀉作用，健胃作用;オオバコの種子（車前子）:消炎作用，利尿作用，鎮咳作用;オオバコの全草（車前草）:消炎作用，利尿作用，鎮咳作用;オトギリソウ（弟切草）:中風，止血作用，神経痛，リウマチ;カキノハ（柿の葉）:中風，眼底出血，高血圧;カキノヘタ（柿蒂）:しゃっくり;カゴソウ（夏枯草）:利尿作用，消炎作用;カヤの実:十二指腸蛔虫駆除，条虫駆除;カワラタケ（寄生竹）:胃腸疾患;カンゾウ（甘草）:鎮咳作用，去痰作用，鎮痛作用;キキョウ（桔梗）:鎮咳作用，去痰作用;キササゲ:利尿作用;キバン（亀板）:補腎作用，肺結核;ギムネマシルベスタ:糖尿病，肥満;ギュウカク（牛角）:止血作用，止瀉作用;ギュウタン（牛胆）:糖尿病，便秘，黄疸;キュウリヅル（胡瓜蔓）:利尿作用，水腫，淋病;キンカン（金柑）:感冒，咳;クコシ（枸杞子）:強壮作用;クコの根皮（地骨皮）:強壮作用，解熱作用;クコヨウ（枸杞葉）:健胃作用;クジン（苦参）:消炎作用，止瀉作用;クバク（瞿麦）:利尿作用，月経困難;クルミ:滋養強壮;ケイヒ（桂皮）:健胃作用;ケツメイシ（決明子）:緩下作用;ゲンチアナ:健胃作用;ゲンノショウコ:健胃作用，止瀉作用;コウカ（紅花）:鎮痛作用，通経作用;コウジン（紅参）:健胃作用，強壮作用;ゴオウ（牛黄）:強心作用，利尿作用，解熱作用，鎮痙作用，補血作用;ゴボウシ（牛蒡子）:利尿作用，浮腫，化膿症，咽頭痛，虫毒蛇毒の解毒作用;ゴレイシ（五霊脂）:鎮痛作用;サフラン:鎮静作用，鎮痛作用;サンキライ（山帰来）:慢性皮膚疾患に対する排膿，解毒，体質改善;サンザシ（山査子）:消化不良，慢性の下痢，産後の腹痛;サンシシ（山梔子）:利尿作用，消炎作用，鎮静作用，止血作用;サンシャ（蚕砂）:利尿作用，喘息，中風;サンズコン（山豆根）:鎮痛作用，消炎作用，咽頭痛，口内炎，悪性腫瘍;サンペンズ（山扁豆）:膀胱炎，利尿作用;シカシャ（紫河車）:強壮作用，強精作用;ジフシ（地膚子）:膀胱カタル，利尿作用;シュロジツ（棕呂実）:中風，下痢，脚気，肋膜炎;シュロヨウ（棕呂葉）:中風，下痢，脚気，肋膜炎;ジョテイシ（女貞子）:強壮作用;ジリュウ（地竜）:解熱作用;スイカズラの茎葉（忍冬）:利尿作用，解毒作用;スイカズラの花（金銀花）:利尿作用，殺菌作用;セキショウコン（石菖根）:健胃作用，鎮痛作用，腹痛，胃腸炎;セッケツメイ（石決明）:白内障，緑内障;ゼンカツ（全蝎）:鎮痙作用;センタイ（蝉退）:解熱作用，皮膚疾患;センナ:緩下作用;センブリ:健胃作用，養毛;ソウジシ（蒼耳子）:頭痛，解熱作用，発汗作用;ソウハクヒ（桑白皮）:鎮咳作用，去痰作用;ソクハクヨウ（側柏葉）:止血作用，止瀉作用;ソテツノミ（蘇鉄の実）:健胃作用，肋膜炎，滋養強壮;ダイオウ（大黄）:緩下作用;タラコンピ（タラ根皮）:胃腸病，糖尿病，腎臓病;ツユクサ（露草）:利尿作用，咽頭痛;デンシチ（田七）:食欲不振，止血作用;トウチュウカソウ（冬虫夏草）:強壮作用，強精作用;ドクダミ（十薬）:利尿作用，消炎作用，緩下作用，解毒作用;ナンテンジツ（南天実）:鎮咳作用，喘息;ナンテンヨウ（南天葉）:健胃作用，鎮咳作用，解熱作用，強壮作用;ニガキ（苦木）:健胃作用;ニワトコ:腎臓炎;ニワトコ葉:腎臓炎，便秘，リウマチ;ニンジン（人参）:健胃作用，強壮作用;ハコベ:利尿作用，健胃作用，整腸作用，乳汁分泌促進作用;ハトムギ（はと麦）:消炎作用，利尿作用，排膿作用，鎮痛作用，浮腫，いぼ;ハブ草:緩下作用，強壮作用;ヒガンバナ（彼岸花）:利尿作用;ヒトツバ（一つ葉）:利尿作用，淋病;ビャクブコン（百部根）:鎮咳作用;ビャッキョウサン（白彊蚕）:鎮痛作用;ビワヨウ（枇把葉）:健胃作用;フジコブ（藤瘤）:悪性腫瘍;ベッコウ（別甲）:強壮作用，解熱作用;ボウイ（防已）:神経痛，リウマチ，関節炎，利尿作用;ボウコン（茅根）:消炎作用，利尿作用，止血作用;ホコウエイコン（蒲公英根）:健胃作用，強壮作用，乳汁分泌促進作用;ボレイ（牡蠣）:鎮静作用，収斂作用;マクリ:駆虫作用;メギ（目木）:眼病;モクゾク（木賊）:利尿作用，収斂作用，淋病;モクテンリョウ（木天リョウ）:リウマチ，利尿作用，疲労回復;ヤクモソウ（益母草）:月経不順，目眩，腹痛，産後の腹痛;ユウタン（熊胆）:健胃作用，鎮痛作用，鎮痙作用，消炎作用，解熱作用;ユキノシタ（雪の下）:消炎作用，解熱作用，解毒作用;ヨクイニン（ヨク苡仁）:利尿作用，鎮痛作用，排膿作用;ヨモギ（艾葉）:止血作用，喘息，腹痛;ランソウ（蘭草）:月経不順，産前産後の浮腫;リュウタン（竜胆）:健胃作用，消炎作用;レイシ（霊芝）:健胃作用，強壮作用;レイヨウカク（羚羊角）:鎮静作用，消炎作用，解熱作用;レンセンソウ（連銭草）:強壮作用，鎮咳作用，感冒;ロクジョウ（鹿茸）:強壮作用，鎮痛作用，強精作用;ロホウボウ（露蜂房）:消炎作用;などがあげられる。これらの中では，低温（たとえば，５×１０１℃〜１×１０２℃，好ましくは６×１０１℃〜９×１０１℃）で抽出されるものが好ましく，さらには薬剤を所定の溶媒（水など）とともに加熱した場合，上記に生薬が含まれるものが好ましい。このような生薬の濃度（蒸気が液化した場合の溶液に含まれる生薬成分の濃度）として，５×１０−２重量％〜１×１０１重量％があげられる。本発明の生薬抽出器に用いられる，好ましい生薬は，薬剤を用いて抽出実験を行うことにより容易に把握できる。
【００２９】
図２は，薬剤収容器の例を示す図である。「薬剤収容器（２）」は，その内部に薬剤（１）を収容するための容器である。図２に示されるように，薬剤収容器（２）は，適量の生薬などを収容できる容積を有するものであればよい。本明細書において「薬剤」とは，前記生薬を含有する原料などを意味する。生薬を抽出する際に，薬剤収容器は，薬剤を収容した容器を収容してもよい。また，生薬を抽出する際に，薬剤収容器に，水などの溶媒とともに薬剤を入れてもよい。溶媒として，純水，精製水，蒸留水，海洋深層水などの水；食塩などの塩水溶液；エタノール，ブランデー，日本酒，ワインなどのアルコール又はアルコール飲料；緑茶，抹茶，玄米茶，麦茶，ウーロン茶，杜仲茶，ジャスミン茶，紅茶などのお茶；香料；のうちいずれか又は２種類以上などを適宜用いてもよいが，これらの中では水が好ましい。水であれば，生薬成分などと化学反応を起こしにくいからである。
【００３０】
図３は，液化容器の例を示す図である。図３に示されるように，「液化容器（５）」は，薬剤収容器部（２）の上方に搭載することができ，底面（３）に前記薬剤収容器部（２）で生じた蒸気を内部に通すための通気部（４）を有し，前記薬剤収容器（２）で生じた蒸気を液化することにより生薬が含まれる液を得るための容器である。通気部（４）は，薬剤収容器部（２）で生じた蒸気を液化容器の内部に通すことができるものであれば特に限定されずに，適切な形状のものを採用できる。通気部（４）は，液化容器の底に１箇所設けられてもよいが，好ましくは複数個所も設けられる。後述するように，液化容器（５）の好ましい態様は，その側面（１１）に，１又は複数の通気部（１３）が設けられるものである。
【００３１】
図４は，生薬収容器の例を示す図である。図１及び図４に示されるように，「生薬収容器（７）」は，前記液化容器（５）に収容することができ，前記生薬が含まれる液（６）を収容するための容器である。生薬収容器として，公知のコップや湯のみなどを適宜用いることができる。
【００３２】
各容器の素材は，生薬抽出器として機能しうるものであれば特に限定されず，公知の素材を適宜採用できる。具体的な素材として，瀬戸物などの陶器；耐熱ガラスなどのガラス；銅，アルミ，鉄，ニッケル，真ちゅう，合金などの金属があげられるが，適度な断熱性を保温性を有するという観点からは，陶器が好ましい。ただし，中が真空である金属性の容器を用いると，断熱性と保温性に優れるため好ましい。各容器の容積は，抽出する生薬の量などに応じて適切なものとすればよい。本発明の生薬抽出器は，工業的な大量生産に用いてもよいが，好ましい利用態様は，家庭的，個人的，又は薬局・薬店などで小規模に用いるものなので，生薬抽出器全体の体積として１×１０−２ｍ２〜１×１００ｍ２があげられ，５×１０−２ｃｍ２〜５×１０−１ｃｍ２が好ましい。
【００３３】
図５は，冷却水収容器としても機能しうるふた部の例を示す図である。図５に示されるように，ふた部（９）は，前記液化容器（５）の上部に取り外しできるように搭載される。これにより，液化容器に収容される蒸気が上方に放出される事態を効果的に防止できる。後に説明するように，ふた部（９）の好ましい態様は，ふた部の底面が，中心に向かって下方に傾斜する傾斜壁（１０）を有するものであり，さらにふた部（９）の内部に氷や水などを収容でき，液化容器内の蒸気を効果的に液化でき，液化した蒸気を集めることができるものである。このようなふた部は冷却水収容器（９ａ）ともよばれる。
【００３４】
図６は，図５とは別のふた部の例を示す図である。図５に示すふた部の替わりに，図６に示すふた部を設けてもよいし，図５に示すふた部を蒸気を冷却することで蒸気を液化し，さらに液化した蒸気を効果的に集めるための冷却水収容器（９ａ）として用いる場合は，その冷却水収容器（９ａ）のふたとして図６に示されるふた部を用いてもよい。
【００３５】
なお，薬剤収容器（２）と液化容器（５）とは一体として成形されていてもよいし，別々になるように成形されていてもよいが，好ましくは薬剤収容器（２）と液化容器（５）とが別々になるように成形されているものである。このようにそれぞれの容器が分離できるものは，特に生薬抽出セットを構成してもよい。薬剤収容器（２）と液化容器（５）とが分離できるようにされていれば，薬剤（及び溶媒）を薬剤収容器（２）に入れた後に，液化容器（５）を搭載できる。なお，液化容器（５）は，取り外しできるふた部（９）を有するものがあげられる。ふた部（９）を有するので，生薬収容器（７）を出し入れすることができる。
【００３６】
本発明の第１の側面に係る生薬抽出器の好ましい態様は，前記液化容器（５）が取り外しできるふた部（９）を有し，前記ふた部（９）は，中心に向かって下方に傾斜する傾斜壁（１０）を有する上記に記載の生薬抽出器（８）である。
【００３７】
中心に向かって下方に傾斜する傾斜壁（１０）を有するので，生薬が含まれる液を効果的に生薬収容器に導くことができる。中心に向かって下方に傾斜する傾斜壁（１０）は，通常，液化容器（５）の天井に設けられる。また，中心に向かって下方に傾斜する傾斜壁（１０）は，複数の中心に向かって幅が狭まる複数の突起（１０ａ）を有するものが好ましい。そのような突起を有するので，液化容器（５）の天井部分の表面積を広くすることができ，その結果，効果的に蒸気を液化できることとなる。液化容器（５）の形状として，円柱状，又は同心円状などのものがあげられるが，そのような場合傾斜壁（１０）は下方に向かう円錐形状又は円錐台形状のものがあげられる。
【００３８】
本発明の第１の側面に係る生薬抽出器の好ましい態様は，前記液化容器（５）が取り外しできるふた部（９）を有し，前記ふた部（９）は，内部に冷却水を収容できる冷却水収容器である上記いずれかに記載の生薬抽出器（８）である。
【００３９】
液化容器（５）のふた部（９）として，内部に冷却水を収容できる冷却水収容器（９ａ）を用いたので，効果的に蒸気を液化できることとなる。なお，冷却水収容器（９ａ）として，その底部に中心に向かって下方に傾斜する傾斜底（１０）を有するものが好ましい。理由は上記したとおりである。
【００４０】
本発明の第１の側面に係る生薬抽出器の好ましい態様は，前記液化容器（５）の側面（１１）には，１又は複数の通気部（１３）が設けられる上記いずれかに記載の生薬抽出器（８）である。
【００４１】
液化容器（５）の側面（１１）には，１又は複数の通気部（１３）が設けられるので，生薬を抽出している間，生薬が含まれる蒸気が通気部（１３）から効果的にもれることとなる。生薬を効果的に液化し，生薬抽出液を得るだけのためであれば，そのような通気部（１３）を設けることは，非効率的であると考えられるかもしれない。しかしながら，生薬を愛用している者にとって，生薬の香りをかぐだけで，リラックスする効果がある。したがって，通気部（１３）から，積極的に生薬を含む蒸気を逃すことで，リラックス効果をもたらすことができることとなる。また，本発明の生薬抽出器では，長時間にわたって生薬を抽出することが意図されているので，リラックス効果をもたらす香りを長時間かぐことができることなる。さらには，通気部（１３）から放出される蒸気には，生薬が含まれるので，生薬を経口摂取しなくても，無意識のうちに所定の薬効を得ることができることとなる。そこで，この実施態様に係る生薬抽出器は，あえて，蒸気を外部へ逃すために，液化容器（５）の側面（１１）に，１又は複数の通気部（１３）を設けたのである。
【００４２】
通気部（１３）は，好ましくは，液化容器（５）の側面（１１）に設けられる。天井（１２）は，後述するように，冷却装置として用いる場合があるからである。なお，通気部（１３）として，１個又は複数個の孔部があげられ，好ましくは２個〜１０個の孔部であり，たとえば，２個，３個，４個，６個，８個を対称となるように設置するものがあげられる。多くの通気部を設けることで，気流の流れを作り出し，効果的に蒸気を放出できることとなる。そのような孔部は，液化容器（５）の側面（１１）に等間隔で設けられるものが，見た目の美しさの観点や，蒸気を放出するという観点から好ましい。孔部の大きさは，適宜調整すればよいが，たとえば，孔部として，直径が１ｍｍ〜３ｃｍ（１ｍｍ以上３ｃｍ以下を意味する。以下同様）の円があげられ，好ましくは２ｍｍ〜１ｃｍであり，３ｍｍ〜１ｃｍでもよい。孔部の形状は，円状，楕円状，正方形状，長方形状，平行四辺形状，三角形状，多角形状など適宜調整でき，その孔部の面積は，たとえば先に述べた円状の孔部の大きさと同程度とすればよい。
【００４３】
本発明の第１の側面に係る生薬抽出器の好ましい態様は，前記薬剤収容器（２）を搭載できるオイル収容器（２１）を具備する上記いずれかに記載の生薬抽出器（８）である。図７は，オイル収容器の例を示す図である。図８は，天板の例を示す図である。図９は，オイル収容器を具備する生薬抽出器の例を示す図である。オイル収容器（２１）を具備するので，この態様に係る生薬抽出器は，安全性に優れ，適切な温度で継続して薬剤を加熱できることとなる。オイル収容器（２１）として，天井が開放されるオイル収容器であって，側面に開口部（２２）が形成され，前記開口部の下端域にオイルが収容される収容領域（２３）を有するものがあげられる。側面に開口部が形成され，開口部下端域にオイルが収容される収容領域を有することとしたので，煤や一酸化炭素を発生することなく，安定した燃焼を維持することができる。すなわち，オイル収容器の側面に通気のための開口部を形成することによって，その開口部から十分な量の酸素が供給され，燃焼により消費される酸素を補充できる。これにより，不完全燃焼を防止できるので，煤や一酸化炭素を発生することを防止できることとなる。
【００４４】
オイル収容器（２１）に収容されるオイルは，ロウや液体燃料があげられる。これらのうちでは液体燃料が好ましい。液体燃料として，揮発性が低く，引火点の低いものが好ましく，具体的には，サラダオイルなどの植物油を用いることができる。アルコールランプに用いられるメチルアルコールやエチルアルコールの引火点は３２℃以下であるのに対し，サラダオイルをはじめとする植物油の引火点は２４０℃以上の高温である。そのため，サラダオイルなどの植物油を用いれば，誤って引火させてしまう危険性が低く，安全に取り扱うことができる。また，本発明の生薬抽出器では，香りを用いてリラックス効果を高めることが好ましいので，適宜エッセンシャルオイルを添加してもよい。
【００４５】
開口部（２２）は，十分に酸素を供給できることが好ましく，開口部の面積として，９ｃｍ２以上があげられ，好ましくは１．２×１０１ｃｍ２〜１×１０２ｃｍ２である。開口部を設ける位置は，オイル収容器（２１）の上部開口面積が３×１０１ｃｍ２以下の場合には，開口部（２２）の下端位置は，オイル収容器の底面から３×１０１ｍｍ〜５×１０１ｍｍ野位置に設けることが望ましい。また，十分に酸素を供給するためには，気流を調整することが望ましいので，開口部は複数個設けられることが好ましい。なお，開口部を設けることは，開口部からオイルを補充することができることからも，好ましい。
【００４６】
上記では，薬剤収容器を加熱する一態様として，オイル収容器を用いるものについて説明した。しかしながら，薬剤収容器を加熱するために公知の加熱装置を適宜用いることができる。そのような加熱装置として，ガス，ガスコンロ，アルコールランプ，電子調理器，電熱器，炭火，暖炉，ストーブ，オンドル，ヒータ，及び電子レンジなどを適宜用いることができる。
【００４７】
本発明の生薬抽出器（８）は，たとえば，瀬戸物などの陶器；耐熱ガラスなどのガラス；銅，アルミ，鉄，ニッケル，真ちゅう，合金などの金属があげられるので，それぞれの分野において公知の方法を適宜用いることで，容易に本発明の生薬抽出器を製造できる。
【００４８】
上記したとおりであるから，本発明によれば，生薬などの天然素材を含む薬剤から，生薬成分を優しく効果的に抽出するとともに，その生薬成分を含む蒸気をゆっくりとマイルドに放出することで，薬剤による薬効を与えるだけでなく，薬剤を含む香りによるリラックス効果をも与えることができる生薬抽出システムを提供できる。
【００４９】
以下，本発明の生薬抽出器を使用した生薬の抽出方法の例について説明する。なお，本発明の生薬抽出器は，ヒータなどを用いて加熱してもよい。しかしながら，オイル収容器を用いて，生薬を抽出することは，好ましい温度に維持しつつ生薬を抽出できるほか，オイルに所定のエッセンスオイルを添加することで，生薬を抽出しつつ香りを放出することができ，それによってリラックス効果を高めることができる。
【００５０】
まずは，薬局などにおける薬剤師へと，顧客がその症状を伝える。すると,薬剤師は，その顧客にふさわしい生薬を生ずる薬剤を処方する。さらに，その薬剤師は，その薬剤が効果的に生薬を放出する温度を把握しているので，燃料としてのオイルをも処方する。さらに，顧客の要望（リラックスしたい，不安であるなど）や嗜好（森林の香りが落ち着くなど）を把握して，アロマオイル（エッセンスオイル）をも処方する。
【００５１】
その顧客は，まず，図７に示されるオイル収容器(２１)に，処方されたオイルを注入する。その後，オイル収容器（２１）に図８に示される天板を搭載する。その天板に，図２に示される薬剤収容器（２）を搭載する。その後，処方された薬剤を薬剤収容器（２）に入れるとともに，水を注ぐ。薬剤収容器（２）に図３に示される液化容器（５）を搭載する。液化容器（５）に図４に示される生薬収容器（７）を収容する。この際，生薬収容器（７）は，好ましくは液化容器（５）の中央になるように設置する。液化容器（５）に，図５に示される冷却水収容器（９ａ）であって，冷却水を収容したものを搭載する。図６に示されるふた部を用いて，前記冷却水収容器（９ａ）にふたをする。その後，オイルに点火する。適宜オイルを補充しつつ，加熱を続ける。加熱時間は，生薬の種類や量などに応じて適宜調整すればよいが，具体的には１×１００分〜３×１０１時間があげられ，５×１００分〜２×１０１時間が好ましく，１×１０分〜１×１０１時間であればさらに好ましい。加熱することで，薬剤に含まれる生薬が水に溶解する。そして，生薬の水溶液が蒸発すると，生薬を含んだ蒸気が，通気部を通して，液化容器（５）へと伝わる。液化容器（５）へ伝わった蒸気は，たとえば，冷却水収容器（９ａ）によって冷却されて液化する。液化した蒸気は，中心に向かって下方に傾斜する傾斜壁（１０）にしたがって，中央付近に集まり，しずくとなって，生薬収容器（７）に滴下する。また，蒸気は，液化容器（５）の側面に設けられた通気部から放出されるので，顧客が慣れ親しんだ香りが放出されることとなる。すなわち，本発明の生薬抽出器によれば，飲用又は浴用の生薬を抽出しつつ，生薬を含有する蒸気を放出させる生薬抽出方法をも提供できる。生薬が抽出された後は，たとえば生薬収容器（７）に収容された液，又は薬剤収容器（２）に残っているものをろ過した液を，飲用するか，又は入浴剤として用いればよい。
【００５２】
すなわち，本発明の生薬の抽出方法は，基本的には，内部に薬剤（１）を収容する薬剤収容器（２）と；前記薬剤収容器部（２）の上方に搭載することができ，底面（３）に前記薬剤収容器部（２）で生じた蒸気を内部に通すための通気部（４）を有し，側面（１１）には，前記薬剤収容器部（２）で発生した蒸気の一部を外部に放出するための１又は複数の通気部（１３）とを具備する，前記薬剤収容器（２）で生じた蒸気を液化することにより生薬が含まれる液を得るための液化容器（５）と；前記液化容器（５）に搭載することができ，中心に向かって下方に傾斜する傾斜壁（１０）を有し，内部に冷却水を収容でき，これにより前記傾斜壁（１０）に接する蒸気を効果的に液化することができ，取り外しできるふた部（９）と；前記液化容器（５）に収容することができ，前記生薬が含まれる液（６）を収容するための生薬収容器（７）と；を具備する生薬抽出器（８）を用い；前記薬剤（１）に含まれる生薬をはじめとする天然素材から，生薬成分を蒸発させ，液化させることで，前記生薬抽出器（７）に生薬抽出液として効果的に回収するとともに，薬剤収容器（２）においては薬剤から生薬成分を抽出し，その回収及び抽出の際に，前記生薬成分を含む蒸気による薬効や香りを与えるために，前記液化容器（５）の側面（１１）に設けられた１又は複数の通気部（１３）から，前記生薬成分を含む蒸気を外部へ放出することを特徴とする，生薬の抽出方法である。
【００５３】
これまで説明した生薬抽出器によれば，たとえば，薬剤の替わりに紅茶を用いることで，長時間にわたって紅茶の香りを放出し続けることができる茶器として利用できる。しかも，生薬収容器（７）には，純粋な紅茶を集めることができることとなる。
【００５４】
また，複数の容器が分離できる生薬抽出キットを用いれば，薬剤収容器（２）のみ，又は薬剤収容器（２）とふたを小さななべとして利用するなど，通常の調理器具としても利用しうる。
【００５５】
図１０は，本発明の茶成分抽出器の概略図である。図１０に示されるように，本発明の第２の側面に係る茶成分抽出セットは，内部に茶葉（３１）を収容する茶葉収容器（３２）と；前記茶葉収容器部（３２）の上方に搭載することができ，底面（３３）に前記茶葉収容器部（３２）で生じた蒸気を内部に通すための通気部（３４）を有し，前記茶葉収容器（３２）で生じた蒸気を液化することにより茶成分が含まれる液を得るための液化容器（３５）と；前記液化容器（３５）に収容することができ，前記茶成分が含まれる液（３６）を収容するための茶収容器（３７）を具備する；茶成分抽出セット（３８）に関する。図中，符号３９はふた部を示し，符号４０はふた部の傾斜壁を示し，符号４１は側面を示し，符号４２は天井を示し，符号４３は通気部を示す。この茶成分抽出セットは，上記した生薬抽出器と同様の構成を有しており，茶を抽出するとともに，茶の香りを長時間にわたり楽しむことができるほか，様々な利用方法を有する。この茶成分抽出セットは，上記した生薬抽出器と同様にして製造できるほか，薬剤の代わりに紅茶などの茶葉などを適宜用いることで，茶成分を抽出するとともに，茶の香りを長時間楽しむことができることとなる。
【００５６】
茶成分抽出セットにおける「茶」として，紅茶などの発酵茶；ウーロン茶などの半発酵茶；煎茶，玉露，茎茶，抹茶，番茶，焙じ茶などの緑茶（不発酵茶）；のいずれか又はこれら2種以上を適宜組み合わせたものがあげられる。紅茶として，ダージリン（Darjeeling），アッサム（Assam），セイロン，ニルギリ（Nilgiri），ウバ（Uva），ディンブラ（Dimbula），ヌワラエリア（Nuwara Eliya），ルフナ（Ruhuna），ドアーズ（Dooars），キャンディー（Canday），ジャワ（Java），キーマン（Keemun），ラプサン・スーチョン（Lapsang Souchong），又はケニア（Kenya）のいずれか又は2種以上をブレンドしたものなどがあげられる。「茶」は，いわゆるハーブティーであってもよい。ハーブティーとして，ハイビスカス，ローズヒップ，レモングラス，ラベンダー，カモミール，ローズマリー
，スペアミント，ローマンカモミール，バジル，セージ，ローズバッツ，シナモン，オレンジピール，リンデン，キャットニップ，ベルベイヌ，マローブルー，マリーゴールド，レモンバーム，ホーソンフラワー，タラゴン，ペパーミント，マージョラム，エルダー，ホーソン，又はマローブラックの１種又は2種以上を適宜含むものがあげられる。特に，長時間抽出する際の酸化を防止するために，ローズヒップ又はオレンジピールを含むものを用いるものが好ましい。なお，ビタミンＣの粉末などを適宜加えてもよく，これにより風味を損なわずに酸化防止を行える他，ビタミン補給をもすることができることとなる。
【００５７】
「茶」として，ウーロン茶などの中国茶を単独又は他の茶と組合せ，適宜用いてもよい。中国茶として，龍井茶，碧螺春茶，黄山毛峰茶，太平猴魁黄，又は雨花茶などの緑茶（不発酵茶）；白毫銀針茶，白牡丹茶，又は寿層茶などの白茶（微発酵茶）；烏龍茶，凍頂烏龍茶，鉄観音，又は水仙茶などの青茶（半発酵茶）；祁門茶，武夷紅茶，又は小種紅茶などの紅茶（完全発酵茶）；君山銀針茶，又は雀山黄芽茶などの黄茶（後発酵茶）；プーアール茶，六堡茶，又は雲南沱茶などの黒茶（後発酵茶）；茉莉花茶，薔薇茶，菊花茶，又は桂花茶などの花茶があげられる。
【００５８】
「茶葉」は，茶成分を抽出するための原料を意味し，必ずしも葉でなくてもよい。「茶葉」として，上記した茶の茶葉を1種又は2種以上組み合わせて用いることができるが，さらに，以下の茶葉を用いてもよく，又は先に説明した茶の茶葉と以下の茶葉を組み合わせて用いてもよい。「茶葉」として，どくだみ，よもぎ，アロエ，そば，麦，はと麦，ゴーヤー，玄米，月見草，黒豆，韃靼そば，ギムマネ，タヒボ，ポンコランチ，杜仲，明日葉，グァバ，バナバ,ヤーコン,クマザサ,レイシ,アガリスク茸，サルノコシカケ，ユリネ，シソ，イチョウ葉，アカマツ，アズキ，アマチャ，ウコギ，ウコン，ウラジロガシ，エビスグサ，カキドオシ，カワラ，ケツメイ，グァバ，クコ，クコシ，クワ，ハマゴウ，ヒトツバ，モロヘイヤ，ギムネマ・シルベスタのうち1種又は2種以上があげられる。また，「茶葉」は，ハーブであってもよいし，適宜ハーブを含んでいてもよい。ハーブは，例えば，目的に応じて，ふさわしいものを適宜用いればよい。具体的には，脂肪を分解するためか又はダイエットのために，ショウガ，とうがらし，ターメリック，ブラックペパー，マスタード，にんにく，カレー粉；利尿効果を得るために，フェンネル，サフラン，コリアンダー，マスタード，カレー粉；新陳代謝を活発にするために，ショウガ，フェンネル，コリアンダー，カレー粉；発汗のために，シヨウガ，とうがらし，プラックベバー，シナモン，カレー粉；免疫力を高めるために，ショウガ，にんにく，クローブ，ローリエ；抗酸化作用をもたらすために，クローブ，ショウガ，ターメリック；疲労回復のために，にんにく，バジル，ローリエ，キャラウェイ；強壮のために，フェヌグリーク，にんにく，ナツメグ，バジル，キャラウェイ；二日酔い予防・治療のために，ターメリック；解毒のために，フェンネル，フェヌグリーク，コリアンダー，シナモン；からだを温めるために，ショウガ，クミン，アジヨワン，にんにく，クローブ，サフラン，ブラックペパーシナモン，とうがらし，ナツメグ；からだを冷やすために，カルダモン
，フェンネル；風邪の予防のために，ショウガ，ブラックペパー，シナモン；肝臓機能向上のためにターメリック；コレステロール値を下げるために，夕一メリック，にんにく，とうがらし；生活習慣病を予防するために，夕一メリック，にんにく，クローブ,ヤーコン;アレルギー予防・花粉症を防止するために，夕一メリック；心臓の機能を高めるために，カルダモン；血液を浄化するために，コリアンダー，にんにく，たまねぎ；頭痛を緩和するために，カルダモン，クローブ，歯痛を防止するために，クローブ，腹痛を緩和するために，クミン，アジョワン，フェヌグリーク；下痢を防止するために，ブラツクペパー，ナツメグ；喉の炎症を鎮めるために，クローブ，ブラックペパー，バジル；消炎作用を与えるために，マスタード，ローリエ；生理痛をやわらげるために，フェヌグリーク；生理不順を解消するために，フェン不ル，サフラン；冷え性を防止するために，ショウガ，とうがらし，にんにく，ガラムマサラ，シナモン，サフラン；美肌効果を与えるために，ターメリック，フェヌグリーク；便秘を改善するために，フェンネル，クミン，アジョワン；母乳の出をよくするために，フェヌグリーク；消化促進のために，ショウガ，フェンネル，カルダモン，ブラックペバー，シナモン，コリアンダーマスタード，バンチホロン，ターメリック，とうがらし，カレー粉，キヤラウェイローリエ，才一ルスバイス，スターアニス；胃の健康のために，ターメリック，ショウガ，クミン，アジョワン，コリアンダー，ローリエ，スターアニス；消化を助けるために，クミン，アジョワン，整腸のために，フェン不ル，クミン，アジョワン，カルダモン，シナモン，バンチホロン，クローブキャラウェイ，ローリエ，ポピーシード；ガスを防止するために，フェヌグリーク，コリアンダー，キャラウェイ，フェンネル，クミン，アショワンカルダモン，キャラウェイ，オールスパイス，スターアニス；胸やけ・胃のもたれの改善のために，アジョワン，キャラウェイ，とうがらし，クローブ，ブラックペバー，バジル，コリアンダー，シナモン，カレー粉，オ一ルスパイス；空腹感を鎮めるために，フェンネル，ストレス解消のために，フェヌグリーク，バジル，カルダモン，クロープ，とうがらし；があげられ，これらを1種又は2種以上適宜組み合わせて用いればよい。
【００５９】
ハーブや茶は，いずれも，通常，それぞれの目的のために処方されるものであるが，たとえば，それらの茶成分を服用することに慣れている者が本発明の茶成分抽出器を用いて成分を抽出すると，その成分を抽出する際に生ずる香りなどを通して，擬似薬効を惹起し，極めて有効な効果を得ることができる。また，本発明の茶成分抽出器を用いれば，例えば長時間かけて比較的低温でゆっくりと茶成分を抽出できるので，極めて純粋な成分を抽出できることとなる。さらに，本発明の茶成分抽出器を用いれば，高温で抽出する場合のような品質の劣化や，有害物資が発生する事態を防止できる。なお，上記した茶葉は，生薬抽出器において生薬を抽出する際に，適宜加えてもよい。本発明によれば，例えば，生薬とハーブとを組み合わせた中国茶を抽出するように，これまで考えられなかった成分を適宜組み合わせたものをも抽出することができる。
【産業上の利用可能性】
【００６０】
本発明の生薬抽出器は，生薬を抽出するための装置として，調理器や窯業などの分野において好適に製造される。また，家庭で個人的に生薬を抽出する際に使用できるほか，薬局・薬店などにおいて，生薬を抽出する際に好ましく用いられうる。さらに，本発明の茶成分抽出器は，茶などを香りを出しつつ抽出できるので，喫茶店などにおいても好ましく利用されうる。
【図面の簡単な説明】
【００６１】
【図１】図１は，本発明の生薬抽出器の概略図である。
【図２】図２は，薬剤収容器の例を示す図である。
【図３】図３は，液化容器の例を示す図である。
【図４】図４は，生薬収容器の例を示す図である。
【図５】図５は，冷却水収容器としても機能しうるふた部の例を示す図である。
【図６】図６は，図５とは別のふた部の例を示す図である。
【図７】図７は，オイル収容器の例を示す図である。
【図８】図８は，天板の例を示す図である。
【図９】図９は，オイル収容器を具備する生薬抽出器の例を示す図である。
【図１０】図１０は，本発明の茶成分抽出器の概略図である。
【符号の説明】
【００６２】
１  薬剤  
２  薬剤収容器
３  液化容器の底面
４  液化容器の底面に設けられた通気部
５  液化容器
６  生薬が含まれる液
７  生薬収容器
８  生薬抽出器
９  液化容器のふた部
９ａ  冷却水収容器
１０  液化容器の傾斜壁
１０ａ  傾斜壁に設けられた複数の突起
１１  液化容器の側面
１２  液化容器の天井
１３  液化容器の側面又は天井に設けられた通気部
２１  オイル収容器
２２  オイル収容器の開口部
２３  オイル収容器の収容領域
【図１】
2007276809.tif 000003
【図２】
2007276809.tif 000004
【図３】
2007276809.tif 000005
【図４】
2007276809.tif 000006
【図５】
2007276809.tif 000007
【図６】
2007276809.tif 000008
【図７】
2007276809.tif 000009
【図８】
2007276809.tif 000010
【図９】
2007276809.tif 000011
【図１０】
2007276809.tif 000012